(57)【特許請求の範囲】
【請求項１】
上下の横枠（２）と左右の竪枠（３）とで構成される開口部に位置せしめられた複数個のルーバー（４）を保持した各ルーバーホルダー（５）は竪枠に固定された支軸（６）にそれぞれ回転自在に枢支されているとともに該ルーバーを保持した該ホルダーの他端はそれぞれ該竪枠に沿って配された連結桿（７）に枢支されており、該連結桿の上下方向の移動により該ホルダーが支軸回りに回転するとともに該ホルダーに保持されたルーバーが回転して前記開口部を開閉するように構成された面格子（１）であって、左右の竪枠（３）後面の上端及び下端の対称位置に該竪枠の長手方向にそれぞれ長孔（２０）が形成されており、該面格子を取付ける窓のサッシ枠等の窓枠には、矩形状の取付座（２２）と該取付座の端部に該取付座に対して直角に折曲された折曲部（２６）と該折曲部の端部にその幅方向にそれぞれ外方に向かって突出して形成された突起部（２５）と該折曲部の幅方向の上端部または両端部に該端部の端面から該折曲部の幅方向に延在して形成された溝部（２４）とを備えた取付金具（２７）が、該面格子の各長孔に対応した位置に該取付座を螺着してそれぞれ取付けられており、該面格子の竪枠（３）は各長孔の上端部を該取付金具の折曲部の上端部に形成された溝部に係合させて該窓枠に取付けられており、該竪枠の内面を室内側から該取付金具に螺着することにより該窓枠に固定されていることを特徴とする面格子。
【請求項２】
ルーバー（４）は水平面部（４１）と該水平面部の両側に内方に湾曲して形成された湾曲部（４２）と該湾曲部の一方に該湾曲部とで凹所（４３）を形成して外方に折曲した折曲端部（４４）と該水平面部内側にその幅方向に所定の間隔をもって立設され端部にフック部（４５）を有する係合部（４６）とを備えており、ルーバーホルダー（５）は略逆Ｌ字状をなすレバー部（５１）と該レバー部の端部に該レバー部に対して直角に折曲されかつその幅方向の両端部に係合部（５２）が形成された保持部（５３）とを備えており、該ルーバーホルダーは保持部の係合部（５２）を該ルーバー内側に形成された係合部（４６）のフック部（４５）に係合させることにより該保持部においてルーバーを嵌着保持していることを特徴とする請求項１に記載の面格子。
【請求項３】
該横枠（２）の下横枠上には、ケース（８）と該ケース内に位置せしめられ、その軸部において該ケースに回転自在に支承されているとともに該軸部の一端を該ケースより突出させて配されたウォーム（９）と該ケースより突出した軸部に固定された操作ハンドル（１０）と該ケースに回転自在に支承されているとともに該ケース内において該ウォームと噛合するウォームホイール（１１）を固着しかつ一端を該ケースより突出させて配された伝達軸（１２）とから成るハンドルユニット（１３）が該下枠の見込み寸法内に固定されており、該ケースより突出した伝達軸の端部にはアーム（１４）が固定されているとともに該アームは連結金具（１５）を介して前記連結桿に連結されていることを特徴とする請求項１又は２に記載の面格子。
【発明の詳細な説明】
【０００１】
【発明の属する技術分野】
本発明は面格子、とくに１人作業でも容易に取付けの可能な、加えてサッシ窓等の窓枠に取付け可能な面格子に関するものである。
【０００２】
【従来の技術】
住居の窓、あるいは浴室、洗面所等の窓の前面に取付けられる面格子としては、主に防犯を目的として外部から容易に取り外せないように窓の前面に強固に固着される、所謂固定型面格子と、上記目的に加え採光および通風をコントロールしたり、太陽輻射熱を効果的にカットしたり、また断熱効果を合わせ持つ、所謂ルーバー型（可動型）面格子とに大別される。
【０００３】
近年は、とくに美観および高級感を重視し、後者の面格子が賞用されている。このような効果および機能を有する面格子は、一般に上下の横枠と左右の竪枠とで構成される開口部に位置せしめられた複数個のルーバーを保持した各ルーバーホルダーは竪枠に固定された支軸にそれぞれ回転自在に枢支されているとともに該ルーバーを保持した該ホルダーの他端はそれぞれ該竪枠に沿って配された連結桿に枢支されており、該連結桿の上下方向の移動により該ホルダーが支軸回りに回転するとともに該ホルダーに保持されたルーバーが回転して前記開口部を開閉するように構成されている。
【０００４】
【発明が解決しようとする課題】
ところで、このような面格子の窓の前面への取付けにあたり、例えば図１０のように取付金具を使用して固定されるが、この場合、取付金具を面格子の左右の竪枠の上端および下端にそれぞれ予め取付けておき、１人が室外側で面格子を支持し、もう１人が室内側で取付金具を螺着して固定するといった２人作業による施工方法が採られていた。
また、同様に取付金具を面格子の竪枠の所定位置に予め取り付けておき、室外側から取付金具を螺着するといった施工方法も採られているが、この場合には、外部から容易にねじの取り外しができることから防犯上の問題があった。
【０００５】
さらに上述した面格子において、ルーバーの開閉を行うべく該連結桿を上下方向に移動させるための操作ハンドルは、竪枠側に取付けられているため、下横枠の見込み寸法（下横枠の奥行き寸法）より大きく突出し、窓の前面への取付けにあたっては、窓と面格子との間に不必要な空間を生じ、面格子本来の機能ならびに効果を失わせる結果となる。
【０００６】
本発明は、上記諸点に鑑みなされたもので、面格子の窓の前面への取付けにあたり、１人でも容易に取付作業ができるとともに防犯性にも優れており、加えて窓と面格子との間に不必要な空間を生じることなくサッシ窓等の窓枠に取付けることができる面格子を提供するものである。
【０００７】
【課題を解決するための手段】
本発明によれば上記目的は、上下の横枠と左右の竪枠とで構成される開口部に位置せしめられた複数個のルーバーを保持した各ルーバーホルダーは竪枠に固定された支軸にそれぞれ回転自在に枢支されているとともに該ルーバーを保持した該ホルダーの他端はそれぞれ該竪枠に沿って配された連結桿に枢支されており、該連結桿の上下方向の移動により該ホルダーが支軸回りに回転するとともに該ホルダーに保持されたルーバーが回転して前記開口部を開閉するように構成された面格子であって、左右の竪枠後面の上端及び下端の対称位置に該竪枠の長手方向にそれぞれ長孔が形成されており、該面格子を取付ける窓のサッシ枠等の窓枠には、矩形状の取付座と該取付座の端部に該取付座に対して直角に折曲された折曲部と該折曲部の端部にその幅方向にそれぞれ外方に向かって突出して形成された突起部と該折曲部の幅方向の上端部または両端部に該端部の端面から該折曲部の幅方向に延在して形成された溝部とを備えた取付金具が、該面格子の各長孔に対応した位置に該取付座を螺着してそれぞれ取付けられており、該面格子の竪枠は各長孔の上端部を該取付金具の折曲部の上端部に形成された溝部に係合させて該窓枠に取付けられており、該竪枠の内面を室内側から該取付金具に螺着することにより該窓枠に固定されてなる面格子によって達成される。
【０００８】
上記構成からなる面格子において、ルーバーは水平面部と該水平面部の両側に内方に湾曲して形成された湾曲部と該湾曲部の一方に該湾曲部とで凹所を形成して外方に折曲した折曲端部と該水平面部内側にその幅方向に所定の間隔をもって立設され端部にフック部を有する係合部とを備えており、ルーバーホルダーは略逆Ｌ字状をなすレバー部と該レバー部の端部に該レバー部に対して直角に折曲されかつその幅方向の両端部に係合部が形成された保持部とを備えており、該ルーバーホルダーは保持部の係合部を該ルーバー内側に形成された係合部のフック部に係合させることにより該保持部においてルーバーを嵌着保持している。
【０００９】
上記構成からなる面格子において、該横枠の下横枠上には、ケースと該ケース内に位置せしめられ、その軸部において該ケースに回転自在に支承されているとともに該軸部の一端を該ケースより突出させて配されたウオームと該ケースより突出した軸部に固定された操作ハンドルと該ケースに回転自在に支承されているとともに該ケース内において該ウオームと噛合するウオームホイールを固着しかつ一端を該ケースより突出させて配された伝達軸とから成るハンドルユニットが該下横枠の見込み寸法内に固定されており、該ケースより突出した伝達軸の端部にはアームが固定されているとともに該アームは連結金具を介して前記連結桿に連結されている。
【００１０】
【発明の実施の形態】
以下、本発明をその実施例を示す添付図面によって詳細に説明する。
【００１１】
【実施例】
図１乃至図９に本発明の好ましい実施例を示す。
【００１２】
本例の面格子１の左右の竪枠３後面の上端及び下端の対称位置に該竪枠３の長手方向にぞれぞれ長孔２０が形成されており、該竪枠３の後面側の内面には該取付金具２７に該面格子１の竪枠３を固定するためのねじ挿通用の孔２１が窓のサッシ枠等の窓枠に該取付金具２７を取着したときの該取付金具２７のねじ孔２８と対応するようにそれぞれ穿設されている。
【００１３】
上下の横枠２と左右の竪枠３とで構成される開口部に位置せしめられた複数個のルーバー４は、水平面部４１と該水平面部４１の両側に内方に湾曲して形成された湾曲部４２と該湾曲部４２の一方に該湾曲部４２とで凹所４３を形成して外方に折曲した折曲端部４４と該水平面部４１の幅方向に所定の間隔をもって立設され、端部にフック部４５を有する係合部４６とを備えている。
【００１４】
該ルーバー４は高強度のアルミ押出し型材で形成されており、太陽輻射熱を効果的にカットし、断熱効果にも優れ、しかも十分な強度を有することから防犯性にも優れている。
【００１５】
ルーバーホルダー５は、略逆Ｌ字状をなすレバー部５１と該レバー部５１の端部に該レバー部５１に対し直角に折曲され、かつその幅方向の両端部に係合部５２が形成された保持部５３とからなる。該ホルダー５は保持部５３の係合部５２を前記ルーバー４の水平面部４１内側に形成された係合部４６のフック部４５に係合させることにより、該保持部５３においてルーバー４を嵌着保持している。
【００１６】
該ホルダー５は、レバー部５１において竪枠３に固定された支軸６に該支軸回りに回転自在に枢着されるとともに保持部５３と反対側の端部を竪枠３に沿って移動可能に配された連結桿７にピン１６により回転自在に枢着されている。
【００１７】
該ホルダー５に嵌着保持されたルーバー４は、開口部を閉塞した状態では該湾曲部４２の内側に下側に位置するルーバー４の折曲端部４４の外側が重畳し、折曲端部４４の外側が上側に位置するルーバー４の湾曲部４２の内側に重畳するように構成されている。なお、最上端に位置するルーバー４はその折曲端部４４を上横枠２に設けた幕板１７に重畳させ、また最下端に位置するルーバー４はその湾曲部４２を下横枠２に設けた下枠カバー１８に重畳させることにより、ルーバー閉塞時に当該部位から室内への太陽光の入射を遮断することができる。
【００１８】
下横枠２の見込み寸法（奥行き寸法）内には、合成樹脂製ケース８と該ケース８内に位置せしめられ、その軸部９１において該ケース８に回転自在に支承されているとともに該軸部９１の一端を該ケース８より突出させて配されたウオーム９と該ケース８より突出した軸部９１に固定された操作ハンドル１０と該ケース８にスリーブ１９を介して回転自在に支承されているとともに該ケース８内において該ウオーム９と噛合するウオームホイール１１を固着しかつ一端を該ケース８より突出させて配された断面が六角の伝達軸１２とから成るハンドルユニット１３が固定されている。
本実施例においてケース８は合成樹脂製としているが、金属板を成型して形成されたものであっても、鋳物で形成されたものであってもよい。また、伝達軸１２は断面が六角の軸としているが、断面が円形の軸であってもよい。
【００１９】
前記ハンドルユニット１３の合成樹脂製ケース８から突出した伝達軸１２の端部にはアーム１４が固定されており、該アーム１４は連結金具１５を介して前記連結桿７に連結されている。
【００２０】
図２において、本例の面格子１の取付金具２７は、矩形状の取付座２２と該取付座２２の端部に該取付座２２に対して直角に折曲された折曲部２６と該折曲部２６の端部にその幅方向にそれぞれ外方に向かって突出して形成された突起部２５とを備えている。該取付座２２には該取付金具２７を窓のサッシ枠等の窓枠に取着するためのねじ挿通用の孔２３が穿設されており、該折曲部２６の中央部には該面格子１の竪枠３の内面を該取付金具２７に螺着するためのねじ孔２８が形成されている。該突起部２５には外方の両端部においてＲ面取りがされており、該Ｒ面取り面２９の後面側には該突起部２５の幅が該突起部２５の先端側に向かって緩やかに漸次小さくなるように傾斜面３０が形成されている。
【００２１】
図３は、本例の面格子１の取付金具２７の好ましい他の具体例であって、取付金具２７は、矩形状の取付座２２と該取付座２２の端部に該取付座２２に対して直角に折曲された折曲部２６と該折曲部２６の端部にその幅方向にそれぞれ外方に向かって突出して形成された突起部２５と該折曲部２６の幅方向の両端部に該端部の端面から該折曲部２６の幅方向に延在して形成された溝部２４とを備えており、他の態様は図２における取付金具と同様である。該溝部２４は該折曲部２６の両端部に形成されているが、該折曲部２６の幅方向の上端部のみに形成されていてもよい。
【００２２】
上述した構成からなる面格子１は、上述の取付金具２７を使用して次のように窓の前面に該窓のサッシ枠等の窓枠に、上下横枠２および左右竪枠３において直接取付けられる。
【００２３】
該面格子１を取付ける窓のサッシ枠等の窓枠には、取付金具２７が該面格子１の各長孔２０に対応した位置に該取付金具２７の取付座２２を螺着してそれぞれ取付けられている。
【００２４】
該面格子１は、図４に示すように、該面格子１の左右の竪枠３後面の上端側に形成された長孔２０を、窓のサッシ枠等の窓枠に取付けられた上側２個所の取付金具２７の突起部２５に挿通させて引掛けられ、続いて、該面格子１の左右の竪枠３後面の下端側に形成された長孔２０をサッシ窓の窓枠に取付けられた下側２個所の取付金具２７の突起部２５に挿通させて引掛けられる。この状態で該面格子１は取付金具２７の折曲部２６の上端側の平面部で支持され、該面格子１の長孔２０と該取付金具２７の突起部２５との掛合により面格子１がサッシ窓の窓枠から落下するのが防止される。
【００２５】
該面格子１は、さらに窓のサッシ枠等の窓枠に押し込まれ、該窓枠と密着された状態で、左右の竪枠３の後面側の内面に穿設されたねじ挿通用の孔２１にねじが挿通され、該取付金具２７の折曲部２６に螺着されて該窓枠に固定される。
【００２６】
図３に示す該折曲部２６の幅方向の両端部に溝部２４形成されている取付金具２７の場合には、該面格子１は該取付金具２７の突起部２５に引掛けられた後、さらに窓のサッシ枠等の窓枠に押し込まれ、該面格子１の左右の竪枠３後面の上端側及び下端側に形成された各長孔２０の上端部と該各取付金具２７の上端側の溝部２４とがそれぞれ係合し、該面格子１は密着した状態で窓のサッシ枠等の窓枠に取付けられる。最後に該面格子１は左右の竪枠３の後面側の内面に穿設されたねじ挿通用の孔２１にねじが挿通され、該取付金具２７の折曲部２６に螺着されて該窓枠に固定される。
【００２７】
上述した面格子１の窓のサッシ枠等の窓枠への取付作業は１人で行うことができ、しかも該竪枠３の内面が室内側から螺着されており、面格子１を外部から取り外すことができないので、防犯性にも優れている。
【００２８】
このように窓の前面に該窓のサッシ枠等の窓枠に取付けられた面格子１はつぎのように開閉操作が行われる。すなわち、図５に示すルーバー４が閉塞した状態において、下横枠２の見込み寸法内に固定されたハンドルユニット１３の操作ハンドル１０を時計回り方向に回転すると、該操作ハンドル１０を固定したウオーム９が回転し、該ウオーム９と噛合するウオームホイール１１を回転させる。該ウオームホイール１１の回転により、該ホイール１１を固定した伝達軸１２が回転し、該伝達軸１２の端部に固定したアーム１４は該伝達軸１２の回転と同時に回転する。該アーム１４の回転は該アーム１４に連結金具１５を介して連結された連結桿７を下方に移動させ、該連結桿７の下方への移動により該連結桿７にピン１６により枢着されたルーバーホルダー５を竪枠３に枢着した支軸６回りに回転させ、該ホルダー５に保持されたルーバー４は回転し開放する。
【００２９】
このルーバー４の開放操作において、操作ハンドル１０の回転を調節することにより、該ルーバー４の開放角度を適宜調節することができ、採光および通風をコントロールすることができる。もちろん、このルーバー４の開放角度の調整はルーバー開放時から閉鎖状態に操作する際にもできる。
【００３０】
【発明の効果】
本発明は上述した構成からなり、左右の竪枠後面の上端及び下端の対称位置に該竪枠の長手方向にそれぞれ長孔が形成されており、該面格子を取付ける窓のサッシ枠等の窓枠には、矩形状の取付座と該取付座の端部に該取付座に対して直角に折曲された折曲部と該折曲部の端部にその幅方向にそれぞれ外方に向かって突出して形成された突起部と該折曲部の幅方向の上端部または両端部に該端部の端面から該折曲部の幅方向に延在して形成された溝部とを備えた取付金具が、該面格子の各長孔に対応した位置に該取付座を螺着してそれぞれ取付けられており、該面格子の竪枠は各長孔の上端部を該取付金具の折曲部の上端部に形成された溝部に係合させて該窓枠に取付けられているので１人作業で容易に取付けができ、加えて、該竪枠の内面を室内側から該取付金具に螺着することにより該窓枠に固定されているので防犯性に優れる。さらにハンドルユニットを下横枠上に該下横枠の見込み寸法内に固定することができるので、面格子の取付部周辺の内装状態に左右されることがない。また面格子は窓の前面に該窓のサッシ枠等の窓枠に取付けられるので、窓と面格子との間に不必要な空間を生じることなく、面格子本来の機能ならびに効果を発揮させることができる。
【図面の簡単な説明】
【図１】本発明による面格子の取付状態を示す断面図である。
【図２】本発明による面格子の取付金具の一具体例の斜視図である。
【図３】本発明による面格子の取付金具の好ましい他の具体例の斜視図である。
【図４】本発明による面格子の取付けを説明する図である。
【図５】本発明による面格子の一具体例の主要部の断面図である。
【図６】図５における面格子の一部の平面図である。
【図７】図５における面格子の一部の断面図である。
【図８】図５における面格子のルーバーホルダーの斜視図である。
【図９】図５における面格子のハンドルユニットの断面図である。
【図１０】従来の面格子の取付状態を示す断面図である。
【符号の説明】
１    面格子
２    横枠
３    竪枠
４    ルーバー
５    ルーバーホルダー
６    支軸
７    連結桿
８    ケース
９    ウオーム
１０  操作ハンドル
１１  ウオームホイール
１２  伝達軸
１３  ハンドルユニット
１４  アーム
１５  連結金具
２０  長孔
２２  取付座
２４  溝部
２５  突起部
２６  折曲部
２７  取付金具
【図１】
0003894591.tif 000002
【図２】
0003894591.tif 000003
【図３】
0003894591.tif 000004
【図４】
0003894591.tif 000005
【図５】
0003894591.tif 000006
【図６】
0003894591.tif 000007
【図７】
0003894591.tif 000008
【図８】
0003894591.tif 000009
【図９】
0003894591.tif 000010
【図１０】
0003894591.tif 000011